(57)【特許請求の範囲】
【請求項１】
排水桝の桝底面に設けられた排水口に嵌入され、該桝底面から上方へ突出する導出管と、
該導出管と排水口との間に介装される水密パッキンと、
該導出管を上方から覆う伏椀形状の封水キャップと
を備えた排水桝用トラップ装置において、
前記水密パッキンは、弾性材料から成り、
下部に前記排水口に嵌入される嵌入環部を備え、前記導出管に外嵌される円環状の主環部と、
該主環部の上端部の外周縁から斜め下方へ裾拡がり状に延成された薄厚の環状鍔部と
を備え、
該嵌入環部が排水口に嵌入された装着状態で、該環状鍔部が、前記桝底面との間に画成された空隙に生ずる負圧によって、該桝底面に密着されるものであることを特徴とする排水桝用トラップ装置。
【請求項２】
水密パッキンの主環部は、嵌入環部の直上周囲に突成された、排水口に嵌入不能な突出環部を備えていることを特徴とする請求項１に記載の排水桝用トラップ装置。
【発明の詳細な説明】
【技術分野】
【０００１】
本発明は、調理場や食品加工場などの床に敷設された排水桝に取り付けられる排水桝用トラップ装置に関する。
【背景技術】
【０００２】
厨房の調理場や食品加工場等の床には、一般的に排水溝と排水桝とが設けられており、該排水溝に流入した排水が、排水桝に集められて、該排水桝の排水口から排出されるようになっている。そして、排水桝には、通常、排水口からの悪臭や有害ガスの流入および衛生管理上で有害となる生物の侵入を防ぐためにトラップ装置が配設される（例えば、特許文献１）。
【０００３】
従来のトラップ装置としては、例えば、図８に示すように、排水桝１０１の桝底面１０２に設けられた排水口１０３から上方へ突出するように導出管１１２が設けられ、該導出管１１２を上方から覆うように伏椀形状の封水キャップ１１３が配設されている。ここで、封水キャップ１１３は、導出管１１２の上端開口１１２ａを閉鎖せず、且つ桝底面１０２に非接触となるように配設されている。さらに、導出管１１２と排水口１０３との間には、リング状のパッキン１１４（又はＯリング等）が介装されている。こうした導出管１１２と封水キャップ１１３とによりトラップ装置１１１が構成される。かかるトラップ装置１１１によれば、排水桝１０１内の、桝底面１０２から導出管１１２の上端開口１１２ａまでの領域（以下、封水領域という）１１０に、該排水桝１０１に流入した排水ｗが溜まり、該封水領域１１０から溢れた排水ｗが該導出管１１２の上端開口１１２ａから流入して排水口１０３へ排水される。そして、前記のように封水領域１１０には排水ｗが常時溜まるようになっていることから、該封水領域１１０の排水ｗにより、排水口１０３と排水桝１０１内とを遮蔽して、該排水口１０３から排水桝１０１内への悪臭や有害ガスの流入と衛生管理上で有害な生物の侵入とを防ぐ。さらに、トラップ装置１１１は、排水桝１０１から取り外すことで、該排水桝１０１内を清掃できるようになっている。
【０００４】
一方、例えば特許文献１には、導出管を排水口に螺合することにより排水桝に取り付けられるトラップ装置が開示されている。かかる従来構成は、導出管を排水口に螺合することに加え、該排水口の口縁と該導出管とをＯリングにより密着させることにより、該排水口と導出管との間を介した水漏れを防止し、排水が該導出管の上端開口を介してのみ排出されるようになっている。そして、かかるトラップ装置は、導出管と排水口との螺合を解除することによって、排水桝から容易に取り外すことができる。
【先行技術文献】
【特許文献】
【０００５】
【特許文献１】特開２００２−３８５５６号公報
【発明の概要】
【発明が解決しようとする課題】
【０００６】
ところで、調理場や食品加工場などでは、衛生管理のため、排水桝の定期的な清掃が実施される。この清掃の際には、上述したトラップ装置が、排水桝から取り外され、該清掃後に再び排水桝に取り付けられる。すなわち、清掃毎に、トラップ装置の導出管を排水口から嵌合解除することと、再び嵌合することとが繰り返される。
【０００７】
トラップ装置は、上述したように、排水桝の封水領域に溜めた排水によって排水口からの有害ガス等の流入や有害な生物の侵入を防ぐという作用効果を奏するものであり、この作業効果が発揮されるためには、該封水領域に排水が常に溜まっているように、該排水口と導出管との間から水漏れしないことが必要である。しかしながら、上記のように清掃毎に、導出管と排水口との嵌合解除と嵌合とを繰り返すと、該導出管と排水口との間から水漏れを生じてしまうことが懸念される。
【０００８】
具体例として、上述した図８の従来構成の場合には、導出管と排水口との間にリング状のパッキンを挟み込み、これに伴う該パッキンの変形によって両者が密着されることから、前記のように嵌合と嵌合解除とを繰り返すと、該パッキンの劣化や損耗が比較的早く生じ易く、該劣化や損耗により密着性が低下して水漏れを生じてしまうという問題がある。尚、かかる構成で、パッキンの劣化や損耗による水漏れを防止するためには、該パッキンを定期的に交換することが必要となるが、ランニングコストが増加するという問題を生ずる。
一方、上述した特許文献１の従来構成の場合には、清掃後に導出管を排水口に螺合する際に、仮にゴミ等を挟み込んでしまうと、正しく螺合できず、さらにＯリングによる密着も不十分となることから、水漏れを生じてしまう。さらに、導出管と排水口とにゴミ等を挟み込んでしまうと、ネジ山が破損し易く、該破損した場合には、修理作業や交換作業などを要するという問題もある。
【０００９】
本発明は、上述した問題を解決するものであって、導出管と排水口との間からの水漏れを防止する止水効果を向上すると共に、比較的長期に亘って、所望の止水効果を保ち得る排水桝用トラップ装置を提案するものである。
【課題を解決するための手段】
【００１０】
本発明は、排水桝の桝底面に設けられた排水口に嵌入され、該桝底面から上方へ突出する導出管と、該導出管と排水口との間に介装される水密パッキンと、該導出管を上方から覆う伏椀形状の封水キャップとを備えた排水桝用トラップ装置において、前記水密パッキンは、弾性材料から成り、下部に前記排水口に嵌入される嵌入環部を備え、前記導出管に外嵌される円環状の主環部と、該主環部の上端部の外周縁から斜め下方へ裾拡がり状に延成された薄厚の環状鍔部とを備え、該嵌入環部が排水口に嵌入された装着状態で、該環状鍔部が、前記桝底面との間に画成された空隙に生ずる負圧によって、該桝底面に密着されるものであることを特徴とする排水桝用トラップ装置である。
【００１１】
ここで、排水桝用トラップ装置は、上述した従来構成と同様、排水桝内の、桝底面から導出管の上端までの領域を、該排水桝に流入した排水が溜まる封水領域とし、該封水領域に溜まった排水により、排水口から該排水桝内へ、悪臭や有害ガスが流入すること、および衛生管理上で有害となる生物が侵入することを防止できる。
【００１２】
かかる構成にあっては、水密パッキンの環状鍔部が、桝底面との間の空隙に生じた負圧によって該桝底面と密着されるものであり、該桝底面との密着性が高く、且つ該密着した状態で保持され得る。すなわち、環状鍔部は、所謂吸着盤と同様の作用効果を奏し得る。こうした水密パッキンによれば、導出管と排水口との間を介した水漏れを防止する止水効果が向上し、該止水効果を比較的長期に亘って維持できる。
【００１３】
さらに、水密パッキンの環状鍔部は、桝底面との間に画成された空隙に生じた負圧により該桝底面と密着するものであり、該密着により弾性変形するものの、その変形量が比較的小さく、該変形のために作用する応力も比較的小さい。すなわち、上述した従来構成のようにＯリング等のパッキンを挟み込んで変形させる構成に比して、劣化や損耗などを生じ難い。したがって、本発明の水密パッキンは、清掃毎に排水口との嵌合解除と嵌合とを繰り返しても、環状鍔部の劣化や損耗を生じ難く、桝底面との高い密着性を比較的長期に亘って保つことができる。
【００１４】
また、水密パッキンは、その嵌入環部を排水口に嵌入することで、導出管を排水口に嵌合するものであることから、該嵌合した装着状態で、該嵌入環部と排水口とが密着する。そして、この嵌入環部の密着によっても、導出管と排水口との間を介した水漏れを防止できることから、上述した環状鍔部による止水効果と合わせて、一層高い止水効果が発揮され、且つ該止水効果を比較的長期に亘って保持する効果も向上する。
【００１５】
また、本発明の構成は、導出管に外嵌された水密パッキンの嵌入環部を排水口に嵌入することで、該導出管を排水口に嵌合して装着するものであることから、清掃の際に嵌合解除する作業と嵌合する作業とを容易に行い得る。そして、導出管が、弾性材料からなる水密パッキンの嵌入環部を嵌入させることで排水口と嵌合することから、該排水口にしっかりと固定され得る。こうしたことから、本発明の構成は、排水桝に適正に装着され、かつ該装着状態で保持されることから、上述した作用効果（排水口から該排水桝内への悪臭や有害ガスの流入と衛生管理上で有害な生物の侵入とを防止する効果）が安定して発揮され得る。さらに、本発明の構成は、上述した従来構成のように導出管と排水口とを螺合するものではないことから、該螺合による問題（ゴミを挟み込むなど）を生じない。
【００１６】
尚、水密パッキンの主環部の嵌入環部は、その外周面が、内方へ向かって下る傾斜面を成すものである構成が好適である。かかる嵌入環部は、その外径が下方に向かって序々に縮径するものであることから、清掃の際に嵌合する作業で、比較的容易に排水口に嵌入され得る。
【００１７】
上述した本発明の排水桝用トラップ装置にあって、水密パッキンの主環部は、嵌入環部の直上周囲に突成された、排水口に嵌入不能な突出環部を備えている構成が提案される。
【００１８】
かかる構成にあっては、水密パッキンを、その突出環部が桝底面に接するまで排水口に嵌入させることにより、該突出環部と環状鍔部と該桝底面とに囲まれた空隙を確実かつ安定して画成でき、該空隙に負圧を生じさせることで該環状鍔部を該桝底面に一層安定して密着させることができる。これにより、導出管と排水口との間を介した水漏れを防止する止水効果が一層向上する。
【発明の効果】
【００１９】
本発明は、上述したように、導出管に外嵌されて排水口との間に介装される水密パッキンが、下部に嵌入環部を備えた主環部と、該主環部の上端部外周縁から斜め下方へ裾拡がり状に延成された環状鍔部とを備えたものであるから、導出管を排水口に嵌合した装着状態で、該環状鍔部が桝底面との密着性が高く、該導出管と排水口との間における止水効果が向上する。また、水密パッキンの環状鍔部は、清掃毎に排水口との嵌合解除と嵌合とを繰り返しても、劣化や損耗を生じ難いことから、桝底面との高い密着性を比較的長期に亘って保つことができる。そのため、上述した従来構成のように、パッキンの交換等によるランニングコストの増加を抑制できるという利点もある。
【図面の簡単な説明】
【００２０】
【図１】排水桝用トラップ装置１が配設された排水桝５１の縦断面図である。
【図２】溝蓋５４とバスケット５３とを取り外した状態の、上記排水桝５１の平面図である。
【図３】排水桝用トラップ装置１の部分断面図である。
【図４】水密パッキン４の部分断面図である。
【図５】排水桝用トラップ装置１を排水桝５１に取り付けた状態を示す縦断面図である。
【図６】図５中のＸ部拡大図である。
【図７】排水桝用トラップ装置１を排水桝５１の排水口５５から取り外した状態を示す説明図である。
【図８】従来のトラップ装置１１１が配設された排水桝５１の部分断面図である。
【発明を実施するための形態】
【００２１】
本発明にかかる実施例を、添付図面を用いて以下に説明する。
排水桝５１は、図１，２に示すように、調理場や食品加工場等の床に埋設施工されて、桝内に流入した排水ｗを排水口５５へ導出するものであり、その底部に、本発明にかかる排水桝用トラップ装置１が装着される。
【００２２】
尚、本実施例にあっては、排水口５５から床面へ向かう方向を上方、床面から排水口５５へ向かう方向を下方として規定し、さらに、排水口５５（および導出管２）の中心から径方向に沿って外側へ向かう方向を外方、逆に該中心に向かう方向を内方として規定して、以下説明している。
【００２３】
排水桝５１は、ステンレス等の耐食性金属板を成形してなる箱型の桝体５２を主体とし、該桝体５２の上縁が床面レベルに位置するように埋設される。桝体５２の上側部には、金属板を成形してなる排水溝６１が接合されており、該排水溝６１を流れる排水ｗが桝内に流れ込むようになっている。また、桝体５２の上縁は、溝蓋５４によって着脱可能に施蓋されており、該溝蓋５４に設けられた溝孔（図示せず）を介しても排水ｗが桝内に流入する。そして、排水桝５１の上部には、バスケット５３が桝内を横断するように係止されており、桝内に流入した排水ｗが該バスケット５３を通過することにより、排水ｗに含まれる固形物を濾し取る。このバスケット５３は、その上側部に設けられた把手５３ａを把持して持ち上げることにより、桝体５２から取り外し、濾し取った固形物を除去可能となっている。
【００２４】
そして、排水桝５１の桝底面５６には、桝内の排水ｗを排出する排水口５５が開口形成されており、該排水口５５に排水管５９が接続されている（図７参照）。
【００２５】
こうした排水桝５１には、排水管５９内からの悪臭や有害ガスの流入と衛生管理上で有害となる生物の侵入とを防止するために、本実施例の排水桝用トラップ装置１が装着される。この排水桝用トラップ装置１は、桝底面５６から上方へ突出する導出管２と、該導出管２に外嵌される水密パッキン４と、該導出管２を覆う伏椀状の封水キャップ３とを備えてなり、該導出管２の下端部が該水密パッキン４を介して排水口５５に嵌合されることで排水桝５１に装着される（図５参照）。
【００２６】
導出管２は、ステンレス製の円筒体からなり、その上端開口１１が排水桝５１内で上向きに開口し且つ下端開口１２が排水管５９に連通する（図５参照）。さらに、図３に示すように、導出管２の外周面の下部には、外嵌された水密パッキン４を位置決めするための嵌合溝１４が周設されている。また、導出管２の上端縁には、伏コ字形の吊持片９が接合されており、該吊持片９の中央部分には、図示しないネジ孔が設けられている。
【００２７】
封水キャップ３は、図３に示すように、円筒状の側壁部３ｂと該側壁部３ｂの上端を閉鎖した天壁部３ａとから構成された伏椀形状を成し、ステンレス材により形成されている。そして、側壁部３ｂの内径が、上記導出管２の外径よりも大きい。さらに、封水キャップ３には、天壁部３ａの下面から雄ネジ部１６が下方へ突成されている。封水キャップ３は、該雄ネジ部１６が上記吊持片９のネジ孔に螺合されることで、導出管２を上方から覆うように、該吊持片９を介して該導出管２に固定される。この固定状態で、封水キャップ３は、その天壁部３ａが導出管２の上端よりも所定間隔をおいて上方に位置固定され、かつ側壁部３ｂが該導出管２の外周面よりも外方に位置固定される。さらに、上述したように排水桝５１に装着された状態で、封水キャップ３の側壁部３ｂの下端が、該封水桝５１の桝底面５６から所定間隔おいた上方に位置する。このように導出管２と封水キャップ３とが排水桝５１に装着された状態で、該排水桝５１に流入した排水ｗは、封水キャップ３と導出管２との間隙を通って、該導出管２の上端開口１１に流入可能となっている。
【００２８】
また、封水キャップ３は、天壁部３ａに把手１７が設けられており、該把手１７を引き上げることにより、該封水キャップ３と導出管２とを一体的に排水桝５１から取り外し可能となっている（図７参照）。
【００２９】
封水キャップ３が固定された導出管２を、図１，５に示すように排水口５５に嵌入することで、排水桝用トラップ装置１が排水桝５１に装着される。この装着された状態で、排水口５５の口縁と導出管２の外周面との間に水密パッキン４が介装されていることから、排水ｗは、導出管２の上端開口１１を介してのみ、排水管５９へ排出される。そのため、排水桝５１の内部の、桝底面５６から導出管２の上端までの領域（以下、封水領域という）１０に、該導出管２の上端開口１１に流入できない排水ｗが溜まる。すなわち、排水桝５１に流入した排水ｗは、導出管２の上端の高さ以上の水位となるまでは封水領域１０に溜まっていき、該水位が導出管２の上端高さを超えると、該導出管２の上端開口１１に流入する。こうした排水ｗが溜まる封水領域１０が、排水桝用トラップ装置１によって、排水桝５１の内部に形成される。
【００３０】
このように排水桝用トラップ装置１は、導出管２と封水キャップ３とにより排水桝５１の内部に封水領域１０を形成し、該封水領域１０に排水ｗを溜めることによって、排水管５９から該排水桝５１への悪臭や有害ガスの流入と衛生管理上で有害な生物の侵入とを防止する。
【００３１】
次に、本発明の要部にかかる水密パッキン４について説明する。
水密パッキン４は、ニトリルブタジエンゴム製であり、図４に示すように、上記導出管２に外嵌される円環状の主環部２１と、該主環部２１の上端から外方へ延出された環状鍔部２２とを備える。
【００３２】
主環部２１は、その下部に、上記排水口５５に嵌入される嵌入環部２５を備え、上部に、該排水口５５に嵌入不能な突出環部２６を備えて成り、該嵌入環部２５と突出環部２６とが上下に連成されている。すなわち、突出環部２６は、嵌入環部２５の直上周囲から外方へ突成されている。ここで、嵌入環部２５は、その外周面が内方へ向かって所定勾配で下り傾斜する傾斜面を成し、その外径が下方に向かって序々に縮径している。そして、本実施例にあって、嵌入環部２５は、その下端部の外径が排水口５５の内径よりも小さく、上端部の外径が該排水口５５に密着状に嵌合する寸法に設定されている（図５参照）。一方、突出環部２６は、前記嵌入環部２５よりも外方へ突出するように形成されており、該嵌入環部２５より外径が大きい。そして、突出環部２６は、主環部２１の中心線に略直行する環状下面２６ａを備えており、前記嵌入環部２５が排水口５５に嵌合されることで、該環状下面２６ａが該排水口５５周囲の桝底面５６に接する（図６参照）。
【００３３】
さらに、主環部２１の内周面には、内方へ突出する環状凸部２８が周成されている。この環状凸部２８が、水密パッキン４を上記導出管２に外嵌した際に、該導出管２の嵌合溝１４に嵌合されることによって、該水密パッキン４の上下方向の外嵌位置が位置決めされる（図３，６参照）。尚、主環部２１の内径は、導出管２に外嵌した状態で該導出管２の外周面に密着するように設定されている。そのため、水密パッキン４が導出管２に外嵌された状態では、主環部２１の内周面と導出管２の外周面との間で水漏れを生じない。
【００３４】
また、環状鍔部２２は、主環部２１の上端周縁から斜め下方に向かって裾拡がり状に延出されてなる。そして、環状鍔部２２は、薄厚状に形成されていることから、比較的容易に弾性変形可能となっている。この環状鍔部２２は、その外周端が上記した突出環部２６の環状下面２６ａよりも若干下方位置となるように、形成されている。これにより、上述したように主環部２１の嵌入環部２５が排水口５５に嵌合された状態で、環状鍔部２２の外周端が桝底面５６に接する（図５，６参照）。尚、本実施例にあって、環状鍔部２２は、主環部２１の上端周縁から斜め下方へ略直線状に傾斜するように形成されているが、上方又は下方に湾曲する形状であっても良い。
【００３５】
さらに、この環状鍔部２２は、その径方向の幅が、主環部２１の内径（導出管２の外径）に比して、十分に短い所定寸法に設定されている。そのため、排水桝５１の排水口５５に装着された状態で、環状鍔部２２が桝底面５６に密着する面積を十分に小さくできる。そして、この環状鍔部２２は、後述するように、桝底面５６に密着されて止水効果を奏するものであるが、その幅寸法が短くとも、該桝底面５６との密着性が高く、該止水効果も高い。
【００３６】
こうした水密パッキン４は、図５，６に示すように、導出管２に外嵌されて装着される。そして、導出管２を排水口５５に嵌入することで、水密パッキン４の主環部２１の嵌入環部２５が排水口５５に嵌入され、該嵌入環部２５が排水口５５に嵌合される。このように排水口５５に嵌入させる際には、嵌入環部２５の外周面が傾斜面を成していることから、該嵌入環部２５を排水口５５に比較的容易に嵌入させることができる。そして、嵌入環部２５は、突出環部２６の環状下面２６ａが桝底面５６に接するまで、排水口５５に嵌入されて、嵌合される。このように水密パッキン４が排水口５５に嵌合されると、環状鍔部２２の外周端部２２ａが桝底面５６に接することで、該環状鍔部２２と桝底面５６と突出環部２６とにより円環状の空隙ｓが形成される。そして、環状鍔部２２が押圧されることにより、前記空隙ｓに負圧が生じ、該負圧によって、該環状鍔部２２の外周端部２２ａが桝底面５６に密着され、さらに密着された状態で保たれる。尚ここで、環状鍔部２２は、嵌入環部２５を排水口５５に嵌入する際に押圧されたり、又は排水桝５１の封水領域１０に溜まった排水ｗの水圧により押圧されたりする。そして、こうして押圧されることによって前記空隙ｓに負圧が生じて密着される。また、水密パッキンの環状鍔部２２は、排水桝５１の封水領域１０に排水ｗが溜まった状態で水圧を受け続けることから、前記した密着状態で保持され易い。
【００３７】
水密パッキン４は、上述したようにニトリルゴム製であり、かつ環状鍔部２２が薄厚に形成されていることから、該環状鍔部２２は高い柔軟性を有する。これにより、環状鍔部２２は押圧されることで容易に弾性変形し、上記の空隙ｓに負圧が生じ易い。さらに、環状鍔部２２の外周端部２２ａが桝底面５６に倣うようにして密着され易く、仮に桝底面５６の平滑性が低い場合にも十分に密着可能である。
【００３８】
このように水密パッキン４が外嵌された導出管２を、排水口５５に嵌合することによって、該水密パッキン４の環状鍔部２２が桝底面５６に密着されることから、該水密パッキン４と排水口５５との間を介した排水管５９への水漏れを防止する止水効果が確実かつ安定して発揮される。そして、環状鍔部２２と桝底面５６との密着性が高いことから、前記止水効果が長期に亘って安定して発揮され得る。このように導出管２と排水口５５とが水密パッキン４を介して水密状に嵌合されることから、本実施例の排水桝用トラップ装置１を排水桝５１に装着した状態で、導出管２と排水口５５との間からの水漏れが確実かつ安定して防止され、該排水桝５１の封水領域１０に排水ｗが常時溜まる。そのため、上述した排水管５９から該排水桝５１への有害ガス等の流入と有害な生物の侵入とを防止するという、排水桝用トラップ装置１の作用効果が安定して発揮される。
【００３９】
さらに、排水桝５１の清掃の際には、排水桝用トラップ装置１を該排水桝５１から取り外すことから（図７参照）、該清掃毎に導出管２を排水口５５と嵌合解除する作業と再び嵌合する作業とが行われる。このように清掃毎に嵌合と嵌合解除とが繰り返されても、水密パッキン４の環状鍔部２２は劣化や損耗し難いことから、上述した止水効果が安定して発揮される。すなわち、環状鍔部２２が桝底面５６に密着する作用は、上述したように、これら両者により画成された空隙ｓで生じた負圧によるものであることから、該密着により生ずる環状鍔部２２の変形量は比較的小さく、かつ該変形のために作用する応力も比較的小さい。これにより、環状鍔部２２は、前記密着に伴う劣化や損耗が可及的に抑制されるため、排水口５５との嵌合と嵌合解除とを繰り返しても、桝底面５６に安定して密着できる。したがって、定期的に清掃を行い、該清掃毎に排水桝用トラップ装置１の取り付けと取り外しとを実施しても、水密パッキン４による前記止水効果が比較的長期に亘って安定して保たれ得る。
【００４０】
尚、本実施例の水密パッキン４は、その嵌入環部２５を排水口５５に嵌入することで、導出管２を該排水口５５に嵌合するものであることから、該嵌入環部２５の外周面と排水口５５の口縁とが密着し、該密着によっても水漏れを防止する止水効果がある。このように本実施例の水密パッキン４は、上述した環状鍔部２２の密着による止水効果と、前記嵌入環部２５の密着による止水効果との両方を発揮するものであることから、極めて高い止水効果が発揮され得る。
【００４１】
また、水密パッキン４は、上述した本実施例のように、環状鍔部２２の径方向幅を比較的短い寸法で設定できる。そして、径方向幅の短い環状鍔部２２であっても、上述した高い止水効果が安定して発揮できる。このように環状鍔部２２の径方向幅を比較的短くすることによって、水密パッキン４は、その取扱性に優れる。尚、径方向幅の比較的広い寸法の環状鍔部を設定すると、桝底面５６と密着する面積が広くなるため、止水効果を一層高めることができる。しかし、前記のように、径方向幅の短い構成に比して取扱性が低減してしまうことから、本実施例のように短い寸法の環状鍔部２２を備えた構成が現実的であり、好適である。
【００４２】
本発明にあっては、上述した実施例に限定されるものではなく、上述の実施例以外の構成についても本発明の趣旨の範囲内で適宜変更して実施可能である。例えば、本実施例では、水密パッキン４をニトリルブタジエンゴム製としたが、その他として、塩ビ等の樹脂製とすることも可能である。また、本実施例では、導出管２と封水キャップ３とをステンレス製としたが、他の金属製としても良いし、硬質のプラスチック製としても良い。
【符号の説明】
【００４３】
１  排水桝用トラップ装置
２  導出管
３  封水キャップ
４  水密パッキン
２１  主環部
２２  環状鍔部
２５  嵌入環部
２６  突出環部
５１  排水桝
５５  排水口
５６  桝底面
ｓ  空隙
ｗ  排水
【図１】
0006537937.tif 000002
【図２】
0006537937.tif 000003
【図３】
0006537937.tif 000004
【図４】
0006537937.tif 000005
【図５】
0006537937.tif 000006
【図６】
0006537937.tif 000007
【図７】
0006537937.tif 000008
【図８】
0006537937.tif 000009